【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
入力画像に対して変形処理を行う変形手段と、
前記変形手段による前記変形処理に基づいて生成される変形画像上の複数の第１座標と、前記複数の第１座標に対応する前記入力画像上の複数の第２座標と、の間のそれぞれの変形量に関する変形情報を特定する特定手段と、
前記特定手段により特定される前記変形情報に基づいて、前記変形画像の領域毎に平滑化処理の強度に関する平滑化パラメータを決定する決定手段と、
前記決定手段により決定された領域毎の前記平滑化パラメータに基づいて、前記入力画像に基づく画像に対して平滑化処理を実行する処理手段とを有することを特徴とする画像処理装置。
【請求項２】
前記特定手段は、前記変形情報として、前記入力画像上の座標と当該座標に対応する前記変形画像上の座標との間の変形倍率を示す情報を特定することを特徴とする請求項１記載の画像処理装置。
【請求項３】
前記入力画像上の所定間隔毎の複数の第１特定座標と、前記複数の第１特定座標に対応する前記変形画像上の複数の第２特定座標と、の間のそれぞれの変形量に関する変形情報を保持する保持手段を有し、
前記特定手段は、前記保持手段により保持された変形情報に対して補間処理を実行することによって、前記複数の第１座標と前記複数の第２座標との間の前記変形情報を特定することを特徴とする請求項１記載の画像処理装置。
【請求項４】
前記入力画像及び前記変形画像のうちの一方の画像における複数の第１分割領域と、前記入力画像及び前記変形画像のうちの他方の画像における前記複数の第１分割領域に対応する複数の第２分割領域と、の間のそれぞれの変形量に関する変形情報を保持する保持手段を有し、
前記特定手段は、前記保持手段により保持された変形情報を参照することによって、前記複数の第１座標と前記複数の第２座標との間の前記変形情報を特定することを特徴とする請求項１記載の画像処理装置。
【請求項５】
前記変形処理には、キーストーン補正又は曲面変形が含まれることを特徴とする請求項１記載の画像処理装置。
【請求項６】
前記処理手段は、前記決定手段により決定された前記平滑化パラメータに基づいて生成されたローパルフィルタを用いたフィルタ処理を、前記平滑化処理として前記入力画像に対して実行することを特徴とする請求項１記載の画像処理装置。
【請求項７】
前記処理手段は、前記決定手段により決定された前記平滑化パラメータに基づくフィルタ処理を、前記平滑化処理として前記入力画像に対して実行することを特徴とする請求項１記載の画像処理装置。
【請求項８】
前記入力画像の各分割領域の頂点座標に対応する変形情報を保持する保持手段を有し、
前記保持手段は、隣接している前記頂点座標に対応する変形情報が、並列に読み出すことができるように前記変形情報を保持し、
前記特定手段は、前記変形画像上の座標の変形情報を、当該座標に対応する前記入力画像上の４つの頂点座標のそれぞれの変形情報を並列に読み出し、当該４つの頂点座標のそれぞれの変形情報に対して補間処理を実行することによって特定することを特徴とする請求項１記載の画像処理装置。
【請求項９】
前記変形情報と平滑化パラメータとが対応づけられたフィルタ係数テーブルを保持する保持手段を有し、
前記特定手段は、前記フィルタ係数テーブルを参照することで前記平滑化パラメータを特定することを特徴とする請求項１記載の画像処理装置。
【請求項１０】
入力画像に対して変形処理を実行することで得られる変形画像上の複数の第１座標と、前記複数の第１座標に対応する前記入力画像上の複数の第２座標と、の間のそれぞれの変形量に関する変形情報を特定する特定工程と、
特定された前記変形情報に基づいて、前記変形画像の領域毎に平滑化処理の強度に関する平滑化パラメータを決定する決定工程と、
決定された領域毎の前記平滑化パラメータに基づいて、前記入力画像に基づく画像に対して平滑化処理を実行する処理工程とを有することを特徴とする画像処理方法。
【請求項１１】
前記入力画像上の所定間隔毎の複数の第１特定座標と、前記複数の第１特定座標に対応する前記変形画像上の複数の第２特定座標と、の間のそれぞれの変形量に関する変形情報を保持手段に保持させるメモリ制御工程をさらに有し、
前記特定工程では、前記保持手段により保持された変形情報に対して補間処理を実行することによって、前記複数の第１座標と前記複数の第２座標との間の前記変形情報を特定することを特徴とする請求項１０記載の画像処理方法。
【請求項１２】
前記入力画像及び前記変形画像のうちの一方の画像における複数の第１分割領域と、前記入力画像及び前記変形画像のうちの他方の画像における前記複数の第１分割領域に対応する複数の第２分割領域と、の間のそれぞれの変形量に関する変形情報を保持手段に保持させるメモリ制御工程をさらに有し、
前記特定工程では、前記保持手段により保持された変形情報を参照することによって、前記複数の第１座標と前記複数の第２座標との間の前記変形情報を特定することを特徴とする請求項１０記載の画像処理方法。
【請求項１３】
コンピュータに画像処理方法を実行させるためのプログラムであって、
入力画像に対して変形処理を実行することで得られる変形画像上の複数の第１座標と、前記複数の第１座標に対応する前記入力画像上の複数の第２座標と、の間のそれぞれの変形量に関する変形情報を特定する特定ステップと、
特定された前記変形情報に基づいて、前記変形画像の領域毎に平滑化処理の強度に関する平滑化パラメータを決定する決定ステップと、
決定された領域毎の前記平滑化パラメータに基づいて、前記入力画像に基づく画像に対して平滑化処理を実行する処理ステップとをコンピュータに実行させるプログラム。
【請求項１４】
前記入力画像上の所定間隔毎の複数の第１特定座標と、前記複数の第１特定座標に対応する前記変形画像上の複数の第２特定座標と、の間のそれぞれの変形量に関する変形情報を保持手段に保持させるメモリ制御ステップをさらにコンピュータに実行させ、
前記特定ステップでは、前記保持手段により保持された変形情報に対して補間処理を実行することによって、前記複数の第１座標と前記複数の第２座標との間の前記変形情報を特定する請求項１３記載のプログラム。
【請求項１５】
前記入力画像及び前記変形画像のうちの一方の画像における複数の第１分割領域と、前記入力画像及び前記変形画像のうちの他方の画像における前記複数の第１分割領域に対応する複数の第２分割領域と、の間のそれぞれの変形量に関する変形情報を保持手段に保持させるメモリ制御ステップをさらにコンピュータに実行させ、
前記特定ステップでは、前記保持手段により保持された変形情報を参照することによって、前記複数の第１座標と前記複数の第２座標との間の前記変形情報を特定する請求項１３記載のプログラム。
【手続補正２】
【補正対象書類名】明細書
【補正対象項目名】０００６
【補正方法】変更
【補正の内容】
【０００６】
本発明に係る画像処理装置は、入力画像に対して変形処理を行う変形手段と、前記変形手段による前記変形処理に基づいて生成される変形画像上の複数の第１座標と、前記複数の第１座標に対応する前記入力画像上の複数の第２座標と、の間のそれぞれの変形量に関する変形情報を特定する特定手段と、前記特定手段により特定される前記変形情報に基づいて、前記変形画像の領域毎に平滑化処理の強度に関する平滑化パラメータを決定する決定手段と、前記決定手段により決定された領域毎の前記平滑化パラメータに基づいて、前記入力画像に基づく画像に対して平滑化処理を実行する処理手段とを有することを特徴とする。